(57)【要約】【課題】簡単に取り外しができるトイガンの銃身連動座体の提供。【解決手段】本考案のトイガンの銃身連動座体は座体を含み、前記座体上にフック設置孔を設け、前記フック設置孔内にフック部材を設置し、前記フック部材上にフック端及び突起部を設け、前記突起部に弾性部材を接続し、前記弾性部材の他端が前記座体の凹み槽に当接され、そのうち、前記フック部材のフック端が銃身の銃身側フック端と係合され、前記弾性部材の弾力特性により、前記フック端と前記銃身側フック端が緊密に掛け合わされ、銃身連動座体が銃身に連動して移動することができ、且つ、分解時の取り外しが簡単であることを特徴とする。【選択図】図２
0003121079.tif 000002
【実用新案登録請求の範囲】
【請求項１】
トイガンの銃身連動座体であって、前記銃身連動座体が座体を含み、前記座体上にフック設置孔を設け、前記フック設置孔内にフック部材を設置し、前記フック部材上にフック端及び突起部を設け、前記突起部に弾性部材を接続し、前記弾性部材の他端が前記座体の凹み槽に当接され、そのうち、前記フック部材のフック端が銃身の銃身側フック端と係合され、前記弾性部材の弾力特性により、前記フック端と前記銃身側フック端が緊密に掛け合わされることができる構成としたことを特徴とする、トイガンの銃身連動座体。
【請求項２】
前記弾性部材がバネ、弾性片、弾性ゴム及び弾性を備えた関連装置または材質から構成された請求項１に記載のトイガンの銃身連動座体。
【考案の詳細な説明】
【技術分野】
【０００１】
本考案はトイガンの銃身連動座体の改良構造に関し、銃身連動座体と銃身間の結合方法に対して改良を行い、銃身連動座体と銃身間を分離可能とし、トイガンの分解を便利にすると共に、手入れ及び部品交換時の利便性を向上した、トイガンの銃身連動座体に関する。
【背景技術】
【０００２】
図１に示すように、一般的な従来のトイガンＡは、その銃身連動座体Ａ１と銃身Ａ２が一体として固定されており分離することができず、トイガンＡを分解して手入れをしたり、部品を交換したりするときに不便であり、且つ、分解時に不適切な力が加えられると、銃身連動座体Ａ１と銃身Ａ２間に湾曲や変形が起こり、銃身連動座体Ａ１と銃身Ａ２を正常にトイガンＡ上に装着して使用することができなくなる。
【０００３】
このため、いかに上述の問題を排除するかが、本考案が解決する技術的問題である。
【考案の開示】
【考案が解決しようとする課題】
【０００４】
本考案の目的は、簡単に取り外しができるトイガンの銃身連動座体を提供することにある。
【課題を解決するための手段】
【０００５】
本考案のトイガンの銃身連動座体は座体を含み、前記座体上にフック設置孔を設け、前記フック設置孔内にフック部材を設置し、前記フック部材上にフック端及び突起部を設け、前記突起部に弾性部材を接続し、前記弾性部材の他端が前記座体の凹み槽に当接され、そのうち、前記フック部材のフック端が銃身の銃身側フック端と係合され、前記弾性部材の弾力特性により、前記フック端と前記銃身側フック端が緊密に掛け合わされ、銃身連動座体が銃身に連動して移動することができ、且つ、分解時の取り外しが簡単であることを特徴とする。
【考案の効果】
【０００６】
本考案の進歩性と実用性をよりはっきりと示すため、以下、従来品と比較して分析する。
《従来品の欠点》
一、一体成型で分離することができない。
二、分解が困難である。
三、分解時に湾曲や変形が起こりやすい。
《本考案の利点》
一、掛け合わせる方式で結合される。
二、取り外しに便利である。
三、分解時の破損を効果的に防止することができる。
四、進歩性と実用性を備えている。
五、産業的競争力を向上することができる。        
【考案を実施するための最良の形態】
【０００７】
以下、本考案について図面、符合及び実施例に基づき詳細に説明する。本考案のトイガンの銃身連動座体の改良構造は、図２、図３に示すように、銃身連動座体Ｂは座体Ｃ、フック部材Ｄ及び弾性部材Ｅから構成され、前記座体Ｃ上にフック設置孔Ｃ１を設け、前記フック設置孔Ｃ１内に前記フック部材Ｄを結合し、前記フック部材Ｄ上にフック端Ｄ１及び突起部Ｄ２を設け、前記突起部Ｄ２に前記弾性部材Ｅの一端を接続し、前記弾性部材Ｅの他端は前記座体Ｃに設けた凹み槽Ｃ２に当接する。
【０００８】
前記銃身連動座体Ｂは前記フック部材Ｄのフック端Ｄ１と銃身Ｆの銃身側フック端Ｆ１を相互に掛止し、且つ、前記弾性部材Ｅの弾力特性により前記フック端Ｄ１と銃身側フック端Ｆ１が緊密に掛止されることで、銃身Ｆに連動して移動することができる。
【０００９】
本考案のトイガンの銃身連動座体の改良構造の使用時は、図４から図７に示すように、銃身連動座体ＢをトイガンＧのスライド座体Ｇ１上に設置し、続いてトイガンＧ上の銃身Ｆを前記銃身連動座体Ｂの方向に押し、銃身Ｆの銃身側フック端Ｆ１を座体Ｃ上に進入させ、このときフック部材Ｄが一方向に向かって押し開かれ、銃身Ｆの銃身側フック端Ｆ１が適切な距離前進すると、前記フック部材Ｄが弾性部材Ｅの弾力を受けて前記フック端Ｄ１が緊密に前記銃身側フック端Ｆ１と掛け合わされ、銃身Ｆが銃身連動座体Ｂを動かして元の位置に戻すことができる。反対に、分解を行うときは、フック部材Ｄのフック端Ｄ１を銃身Ｆの銃身側フック端Ｆ１から離脱させ、銃身連動座体ＢをトイガンＧのスライド座体Ｇ１末端へと押すと、銃身連動座体ＢをトイガンＧ上から取り外すことができる。
【００１０】
以上で述べた説明は本考案の最良の実施例に基づくものであり、本考案の特許範囲を制限するものではなく、本考案の明細書及び図面の内容を運用した同等効果を得る構造を直接的または間接的にその他関連技術領域に応用したものはすべて、本考案の要旨の範囲内に含まれるものとみなす。
【００１１】
上述のように、本考案は従来技術を打破する構造のもと、確実にその目的とする効果を得ることができ、また、関連技術を熟知したものでなくとも容易に理解できると共に、本考案はその出願以前に公開されたことがなく、その進歩性と実用性は実用新案登録出願の要件を満たしているため、法に基づきここに実用新案登録を出願するものである。
【図面の簡単な説明】
【００１２】
【図１】従来品の立体図である。
【図２】本考案の立体図である。
【図３】本考案の部分分解図である。
【図４】本考案の動作を示す立体図１である。
【図５】本考案の動作を示す立体図２である。
【図６】本考案の動作を示す立体図３である。
【図７】本考案の動作を示す立体図４である。
【符号の説明】
【００１３】
Ａ、Ｇ        トイガン    
Ａ１、Ｂ      銃身連動座体
Ａ２、Ｆ      銃身
Ｃ            座体
Ｃ１          フック設置孔
Ｃ２          凹み槽
Ｄ            フック部材
Ｄ１          フック端
Ｄ２          突起部
Ｅ            弾性部材
Ｆ１          銃身側フック端
Ｇ１          スライド座体    
【図１】
0003121079.tif 000003
【図２】
0003121079.tif 000004
【図３】
0003121079.tif 000005
【図４】
0003121079.tif 000006
【図５】
0003121079.tif 000007
【図６】
0003121079.tif 000008
【図７】
0003121079.tif 000009